(57)【要約】      （修正有）【課題】人体の自然治癒力を高めて、アレルギー性鼻炎全般、特に花粉症を治療及び予防する額部貼着用加圧治療具を提供する。【解決手段】少なくとも眉間を含む額から瞼の上にかけた部分をカバーする大きさとなした粘着シート２の粘着面２′に、円形の基板４の片面に複数の突条部５、６、７を一体的に形成し、該３本の突条部５、６、７をその中央の突条部５を最も高くなすと共に中央部５を除く両側の２本の突条部６、７を中央部において窪ませてなる刺激粒３を適宜間隔で多数固定する。また、粘着シート２を眉間を含む額から瞼の上にかけた部分と鼻梁基部をカバーする形状となした粘着シートとする。更に、外縁が該粘着シート２の外縁より所要の程度食みだす大きさを有し且つ粘着面の粘着力を該粘着シート２の粘着面２′の粘着力よりも強くなしたカバー粘着シートを粘着シート２の背面に貼着する。【選択図】図１
0003152359.tif 000002
【実用新案登録請求の範囲】
【請求項１】
少なくとも眉間を含む額から瞼の上にかけた部分をカバーする大きさとなした粘着シートの粘着面に、円形の基板の片面に複数の突条部を一体的に形成してなる刺激粒を適宜間隔で多数固定してなる額部貼着用加圧治療具。
【請求項２】
粘着シートが、眉間を含む額の略全体をカバーする大きさとなした粘着シートである請求項１記載の額部貼着用加圧治療具。
【請求項３】
粘着シートが、左右のこめかみと頭髪の生え際と、瞼の上の部分までの間をカバーする大きさとなした粘着シートである請求項１記載の額部貼着用加圧治療具。
【請求項４】
粘着シートが、眉間を含む額から瞼の上にかけた部分と鼻梁基部をカバーする形状となした粘着シートである請求項１記載の額部貼着用加圧治療具。
【請求項５】
刺激粒が、円形の基板の片面に平行して３本の突条部を一体的に形成し、該３本の突条部を、その中央の突条部を最も高くなすと共に中央部を除く両側の２本の突条部を中央部において窪ませてなる刺激粒である請求項１、２、３又は４記載の額部貼着用加圧治療具。
【請求項６】
粘着シートの背面に、外縁が該粘着シートの外縁より所要の程度食みだす大きさを有し且つ粘着面の粘着力を該粘着シートの粘着面の粘着力よりも強くなしたカバー粘着シートを貼着してなる請求項１、２、３、４又は５記載の額部貼着用加圧治療具。
【考案の詳細な説明】
【技術分野】
【０００１】
本考案は人体の額から瞼の上の部分にかけた部分、更には鼻梁基部の部分の皮膚表面に点在する圧痛点、つぼを加圧して刺激を与えることにより、アレルギー性鼻炎全般、特に花粉症の治療及び予防に用いる額部貼着用加圧治療具に関するものである。
【背景技術】
【０００２】
アレルギー性鼻炎、とりわけ花粉症に悩む患者は実に多数に及び、今や国民病であると言われている。斯かる花粉症の症状は、主にくしゃみ、鼻みず、鼻づまり、目のかゆみや充血、流涙であり、毎年花粉の飛散する時期になると花粉症の患者は実に耐えがたい苦しい思いをしなければならない。
【０００３】
また、斯かる花粉症の治療対策としては、現在、原因となる抗原を増量しながら定期的に注射し、過敏性を低下させる減感作療法が実施されているが、定期的に長期にわたって注射を受けることは容易なことではない。また、花粉症などのアレルギーは、過敏性によって起こるものであり、症状が悪化してからでは薬が効きにくくなるという問題点もある。
【０００４】
ところで、人体の皮膚表面には、圧痛点、つぼが点在し、そして斯かる圧痛点、つぼを加圧して刺激を与えると、血流が促進されて人体の有する自然治癒力が高められ、もって病状の改善や治療へ導くことができることは良く知られている通りである。
【考案の概要】
【考案が解決しようとする課題】
【０００５】
本考案は上記の点に鑑みなされたものであって、額から瞼の上の部分にかけて、更に鼻梁基部の部分にかけて貼着することによって、少なくとも眉間を含む額から鼻梁基部の部分に点在する花粉症に適応する圧痛点、つぼを刺激粒によって加圧して刺激を与え、もってアレルギー性鼻炎全般、特に花粉症の治療及び予防に効果を奏する額部貼着用加圧治療具を提供しようとするものである。
【課題を解決するための手段】
【０００６】
而して、本考案の要旨とするところは、少なくとも眉間を含む額から瞼の上にかけた部分をカバーする大きさとなした粘着シートの粘着面に、円形の基板の片面に複数の突条部を一体的に形成してなる刺激粒を適宜間隔で多数固定してなる額部貼着用加圧治療具にある。
【０００７】
また、上記構成において、粘着シートの具体的な例として、眉間を含む額の略全体をカバーする大きさとなした粘着シートとしてもよい。
【０００８】
また、上記粘着シートに代えて、左右のこめかみと頭髪の生え際と、瞼の上の部分までの間をカバーする大きさとなした粘着シートとしてもよい。
【０００９】
また、更に上記粘着シートに代えて、眉間を含む額から瞼の上にかけた部分と鼻梁基部をカバーする形状となした粘着シートとしてもよい。
【００１０】
また、上記構成において、それに用いる刺激粒としては、円形の基板の片面に平行して３本の突条部を一体的に形成し、該３本の突条部を、その中央の突条部を最も高くなすと共に中央部を除く両側の２本の突条部を中央部において窪ませてなる刺激粒を用いることが好ましい。
【００１１】
そしてまた、上記構成の粘着シートの背面に、外縁が該粘着シートの外縁より所要の程度食みだす大きさを有し且つ粘着面の粘着力を該粘着シートの粘着面の粘着力よりも強くなしたカバー粘着シートを貼着するようにしてもよい。
【考案の効果】
【００１２】
本考案は上記の如き構成であり、額部分に貼着することによって、少なくとも眉間を含む額から瞼の上の部分、更には鼻梁基部の部分に点在する花粉症に適応する圧痛点、つぼを刺激粒によって加圧して刺激を与えるものである。したがって、アレルギー性鼻炎全般、特に花粉症の治療及び予防に効果を発揮するものである。そして、本考案は、従来の治療法である減感作療法において問題であった長期にわたって定期的に注射を受けなければならない煩わしさや、症状悪化後の薬効の低減といった点を解消し、長期にわたって実施する必要がなく、またいつ、どこででも手軽に実施することができ、症状悪化後においてもきわめて有効である。また、貼っておきさえすればその間中刺激粒が常に圧痛点、つぼを加圧して刺激し続けるものであり、充分な刺激効果を期待することができるものである。加えて、貼っておくだけで済むから、圧痛点、つぼを指で加圧する場合の如き指の疲労等の問題も皆無である。
【００１３】
また、粘着シートの背面に、外縁が該粘着シートの外縁より所要の程度食みだす大きさを有し且つ粘着面の粘着力を該粘着シートの粘着面の粘着力よりも強くなしたカバー粘着シートを貼着するようにしてもよい。このようになした場合には、粘着シートの粘着面が汗等によってその粘着力が低下したとき、該粘着シートの剥落を、それを覆うカバー粘着シートの粘着力により防止することができるものである。
【図面の簡単な説明】
【００１４】
【図１】本考案の第１実施形態に係る額部貼着用加圧治療具の表面図である。
【図２】同裏面図である。
【図３】刺激粒の斜視図である。
【図４】使用方法の説明図である。
【図５】本考案の第１実施形態の変形例の説明図である。
【図６】本考案の第１実施形態の他の変形例の説明図である。
【図７】本考案の第２実施形態の変形例の説明図である。
【考案を実施するための形態】
【００１５】
以下、本考案を実施するための形態について、図面を参照して説明する。
【００１６】
図中、１は額部貼着用加圧治療具である。また、該額部貼着用加圧治療具１は、少なくとも眉間を含む額から瞼の上にかけた部分をカバーする大きさとなした粘着シート２の粘着面２′に、円形の基板４の片面に複数の突条部５、６、７を一体的に形成してなる刺激粒３を適宜間隔で多数固定してなるものである。また、前記粘着シート２は、使用するまで刺激粒３、３、３・・・の基板４に対応する部分を切除した剥離シート（図示せず。）に貼着している。
【００１７】
また、本実施形態においては、粘着シート２を、眉間を含む額全体をカバーする大きさとなした粘着シートとしている。
【００１８】
また、本実施形態においては、用いる刺激粒として、円形の基板４の片面に平行して３本の突条部５、６、７を一体的に形成し、該３本の突条部５、６、７を、その中央の突条部５を最も高くなすと共に中央部を除く両側の２本の突条部６、７を中央部において窪ませてなる刺激粒としている。
【００１９】
而して、上記額部貼着用加圧治療具１を使用するときには、粘着シート２を剥離シート（図示せず。）から引き剥がし、図４に示す如く、該粘着シート２を額の部分に貼り付けるものである。これにより、少なくとも眉間を含む額部分に点在する花粉症に適応する圧痛点、つぼを刺激粒３、３、３・・・によって加圧し、刺激を与えることができるものである。もって、アレルギー性鼻炎全般、特に花粉症の治療及び予防に効果を発揮するものである。
【００２０】
また、粘着シートとして、上記粘着シート２に代えて、図５に示す如き左右のこめかみと頭髪の生え際と、瞼の上にかけた部分の間をカバーする大きさとなした粘着シート２としてもよい。
【００２１】
また、粘着シートとして、上記粘着シート２に代えて、図６に示す如き眉間を含む額から瞼の上にかけた部分と鼻梁基部をカバーする形状となした粘着シート２としてもよい。
【００２２】
次に、図７に示した本考案の第２実施形態について説明する。
本実施形態は、上記構成の粘着シート２の背面に、外縁が該粘着シート２の外縁より所要の程度食みだす大きさを有し且つ粘着面８′の粘着力を該粘着シート２の粘着面２′の粘着力よりも強くなしたカバー粘着シート８を貼着してなるものである。
【００２３】
本実施形態によれば、粘着シート２の粘着面２′が汗等によってその粘着力が低下したとき、該粘着シート２の剥落をそれを覆うカバー粘着シート８の粘着力により防止することができるものである。また、その他の構成並びに作用は前記第１実施形態と同様であるから、同一の部材には同一の符号を付して詳細な説明は省略する。
【符号の説明】
【００２４】
１  額部貼着用加圧治療具
２  粘着シート
２′  粘着面
３  刺激粒
４  円形の基板
５、６、７  突条部
８  カバー粘着シート
８′  粘着面
【図１】
0003152359.tif 000003
【図２】
0003152359.tif 000004
【図３】
0003152359.tif 000005
【図４】
0003152359.tif 000006
【図５】
0003152359.tif 000007
【図６】
0003152359.tif 000008
【図７】
0003152359.tif 000009